(57)【特許請求の範囲】
【請求項１】
撮像光学系により結像される被写体光学像を電子的に画像記録媒体に記録する電子カメラにおいて、
撮影画像および記録画像の少なくとも一方を再生表示するモニタ画面をカメラボディの背面側に配設してなる表示モニタと、
前記カメラボディの背面に設けられ、前記モニタ画面を覆う閉じ動作と前記モニタ画面上から退避する開動作とが可能な扉部材と、所定方向に沿ってスライド可能に設けられそのスライド位置に応じてオン／オフするメイン電源スイッチと、基端部が前記カメラボディの背面に回動可能に軸支され先端部が前記扉部材に回動可能に係合され中間部が前記メイン電源スイッチに回動可能に係合される回転レバーとを含んでなる扉機構とからなり、
前記メイン電源スイッチは、前記扉部材の開閉動作に連動してスライドし、前記扉部材が閉じるとオフ動作し、且つ前記扉部材が開くとオン動作して、当該電子カメラの動作電源を制御するように構成したことを特徴とする電子カメラ。
【請求項２】
前記メイン電源スイッチは、所定方向のスライド動作により該メイン電源スイッチをオン／オフさせる電源操作部材を含み、且つ
前記扉機構は、前記扉部材および前記電源操作部材に係合して回動し、前記扉部材の移動方向と同方向に、該扉部材の移動量よりも少ない移動量で前記電源操作部材をスライド移動させる回転レバーを含む
ことを特徴とする請求項１に記載の電子カメラ。
【請求項３】
撮像光学系により結像される被写体光学像を電子的に画像記録媒体に記録する電子カメラにおいて、
撮影画像および記録画像の少なくとも一方を再生表示するモニタ画面をカメラボディの背面側に配設してなる表示モニタと、
所定方向に沿ってスライド可能に設けられオン／オフ操作されて当該電子カメラの動作電源を制御するメイン電源スイッチと、前記カメラボディの背面に所定方向に沿って開閉可能に設けられる扉部材と、基端部が前記カメラボディの背面側に回動可能に軸支され先端部が前記扉部材に回動可能に係合され、中間部が前記メイン電源スイッチに回動可能に係合される回転レバーを含んでなる扉機構とからなり、
前記扉機構は、前記メイン電源スイッチのオン／オフ動作に連動し、前記メイン電源スイッチのオフ動作に伴って、閉状態となり前記モニタ画面を前記扉部材により覆い、且つ前記メイン電源スイッチのオン動作に伴って、開状態となり前記モニタ画面上から前記扉部材を退避させて該モニタ画面を視認可能とするように構成したことを特徴とする電子カメラ。
【請求項４】
前記メイン電源スイッチは、所定方向のスライド動作により該メイン電源スイッチをオン／オフ操作する電源操作部材を含み、且つ
前記扉機構は、前記電源操作部材および前記扉部材に係合して回動し、前記電源操作部材の移動方向と同方向に、該電源操作部材の移動量よりも大きい移動量で前記扉部材をスライド移動させる前記回転レバーを含む
ことを特徴とする請求項３に記載の電子カメラ。
【請求項５】
前記扉機構の前記回転レバーに関し、軸支点から前記メイン電源スイッチとの係合点までの距離が、前記軸支点から前記扉部材との係合点までの距離よりも近くに設定されていることを特徴とする請求項１または請求項３に記載の電子カメラ。
【請求項６】
前記扉機構は、前記モニタ画面を視認可能とする開状態としたときは、前記液晶モニタ画面上から退避させた前記扉部材をカメラボディの内部に収納させる機構を含むことを特徴とする請求項１〜５のうちのいずれか１項に記載の電子カメラ。
【請求項７】
前記電源操作部材は、前記カメラボディの背面略中央下部に配設したことを特徴とする請求項２または４に記載の電子カメラ。
【請求項８】
前記扉部材は、金属材料で構成したことを特徴とする請求項１〜７のうちのいずれか１項に記載の電子カメラ。
【発明の詳細な説明】
【０００１】
【発明の属する技術分野】
本発明は、撮影画像あるいは記録画像を再生し表示する液晶モニタ等の表示モニタを有する電子カメラに係り、特にモニタ画面の表面の汚れ防止および保護に関する。
【０００２】
【従来の技術】
写真撮影には、銀塩フィルムを用いる在来のカメラ、いわゆる銀塩カメラ、が従来から広く使用されている。一方、近年、ディジタルカメラ等と称され、被写体像を、例えばＣＣＤ（電荷結合素子）撮像素子等の固体撮像素子により撮像し、被写体の静止画像（スティル画像）または動画像（ムービー画像）の画像データを得て、いわゆるメモリカード等のＩＣ（集積回路）カードまたはビデオフロッピーディスク等にディジタル的に記録するタイプの電子カメラが急速に普及しつつある。
この種の電子カメラでは、撮影画像等の画像情報が電子的な画像データであるため、液晶ディスプレイパネルを用いた液晶モニタ等によって容易に表示させることができる。そこで、撮影時の撮影画像の確認のための電子モニタ、および撮影画像の記録後の記録画像の確認および参照のための再生用モニタとして、液晶モニタ等の表示モニタを搭載したものが多い。
【０００３】
ところで、この種の液晶モニタ等の表示モニタは、モニタ画面の表面がガラス板またはプラスティック板で形成されており、該モニタ画面を常時露出しておくと、当該電子カメラを携帯し、持ち歩く際に汚れが付着したり、液晶ディスプレイパネル等を破損してしまうおそれがある。
このため、従来より、このような表示モニタの汚損または破損から防護するために、例えば特開平１０−９８６３６号公報、特開平１０−９８６３５号公報および特開平１−１１７４７０号公報等に示されるような対策が提案されていた。
特開平１０−９８６３６号公報は、液晶モニタをカメラボディの背面の略中央に配置し、撮影時に被写体を光学的に確認する光学ファインダを当該カメラボディの背面の上部に備えた電子スティルカメラにおいて、液晶モニタの周辺に保護用の突起物を設けることを開示している。
【０００４】
また、特開平１０−９８６３５号公報は、液晶表示装置からなるモニタ部、すなわち液晶モニタのモニタ画面に対応する面、に開閉可能なブラインドを設け、該ブラインドを開いた状態でモニタを視認できるように構成したモニタ保護カバーを表示モニタをカメラ一体型記録再生装置、に取り付けることを開示している。また、この特開平１０−９８６３５号公報には、モニタ保護カバーを透明なものとしてもよく、さらに該モニタ保護カバーを、リモコン（リモートコントロール）機能を達成する構成が付与されたリモコン装置兼モニタ保護カバーとして構成してもよいことが示されている。
さらに、特開平１−１１７４７０号公報は、ディスプレイ、すなわち表示モニタの前面、を開放した状態で当該スティルビデオカメラが再生状態に切り換えられ、表示モニタの前面を覆う位置に設定されることによって当該スティルビデオカメラが撮影状態に切り換えられる背面扉を設けた構成を開示している。
【０００５】
【発明が解決しようとする課題】
上述した従来の公知技術のうち特開平１０−９８６３６号公報に記載された電子スティルカメラの場合は、撮影時に液晶モニタ画面に顔が触れにくいという利点はあるが、突起物は液晶モニタ画面全体を覆っているわけではない。このため、特開平１０−９８６３６号公報の技術には、当該電子スティルカメラを携帯し、持ち歩く際における液晶画面の汚れ防止や保護といった面での効果はない。
特開平１０−９８６３５号公報に記載された技術のうちのブラインド式のモニタ保護カバーの場合は、ブラインドを開状態としても、モニタ画面上を水平方向に横切る羽根が存在し、モニタ画面が見にくくなる。また、同特開平１０−９８６３５号公報に記載されたリモコン装置兼用のモニタ保護カバーを表示モニタ部に着脱可能に設ける方式の場合には、撮影・再生時等に取り外したリモコン／保護カバーをポケット等にしまっておかなければならず、煩わしい。
【０００６】
また、特開平１０−９８６３５号公報に記載されたブラインド方式およびリモコン兼用方式のいずれの場合にも、ブラインドの開操作またはリモコン／モニタ保護カバーの取り外し操作と、別途に設けられるメイン電源スイッチのオン操作との２重操作となり、操作が煩雑となる。
さらに、特開平１０−９８６３５号公報に記載されたモニタ保護カバーとして透明な材料を用いる場合には、該透明モニタ保護カバー自体が汚れ易く、また、特に屋外等においては、当該透明モニタ保護カバーの表面が反射してモニタ画面が見にくくなるおそれもある。
【０００７】
特開平１−１１７４７０号公報においては、背面扉を作動させて、モニタ画面を覆ったときに撮影状態、覆わないときに再生状態とするようにしている。しかしながら、撮影に際して、モニタ画面に撮影画像を表示させ、光学ファインダではなく、該モニタ画面上の撮影画像を観察して、撮影を行う電子ファインダとしての使用要求があるが、特開平１−１１７４７０号公報に記載された構成では、このような使用形態をとることは不可能となってしまう。なぜならば、特開平１−１１７４７０号公報では、撮影時に背面扉によってモニタ画面が覆われてしまい、モニタ画面を観察することができない構成となっているからである。
【０００８】
本発明は、上述した事情に鑑みてなされたもので、携帯／持ち歩き時における表示モニタのモニタ画面の汚れを確実に防止し、表示モニタを確実に保護することができ、しかも、撮影・再生時には表示モニタのモニタ画面が見易く且つ操作が簡単な電子カメラを提供することを目的としている。
特に、請求項１に係る発明の目的は、特に、モニタ画面の開閉操作のみで、確実に撮影・再生可能状態と撮影・再生不可状態とに設定し得る電子カメラを提供することにある。
【０００９】
また、請求項２に係る発明の目的は、モニタ画面を保護する扉部材の小さな開閉操作力のみで、撮影・再生動作を確実にオン／オフすることを可能とし、操作が容易で確実な電子カメラを提供することにある。
請求項３に係る発明の目的は、特に、撮影・再生動作をオン／オフするメイン電源スイッチの操作のみで、モニタ画面を保護する扉部材を確実に開閉させることができる電子カメラを提供することにある。
請求項４に係る発明の目的は、特に、メイン電源スイッチを扉部材の作動方向と同方向への小さな操作量でモニタ画面を保護する扉部材を正しく開閉操作することを可能とし、操作が明快で容易な電子カメラを提供することにある。
【００１０】
請求項５に係る発明の目的は、特に、簡略な構成で、扉部材の開閉とメイン電源スイッチのオン／オフとを円滑且つ正確に行い得る電子カメラを提供することにある。
請求項６に係る発明の目的は、特に、不用意に扉部材に触れるなどして扉部材を誤作動させてしまうおそれがなくカメラボディのデザインの自由度も高い電子カメラを提供することにある。
請求項７に係る発明の目的は、特に、メイン電源スイッチの操作性が良好で、誤操作するおそれがなく、操作状態の確認も容易な電子カメラを提供することにある。
請求項８に係る発明の目的は、特に、扉部材によるモニタ画面の保護が確実で、しかも薄型化も容易な電子カメラを提供することにある。
【００１１】
【課題を解決するための手段】
請求項１に記載した発明に係る電子カメラは、上述した目的を達成するために、
撮像光学系により結像される被写体光学像を電子的に画像記録媒体に記録する電子カメラにおいて、
撮影画像および記録画像の少なくとも一方を再生表示するモニタ画面をカメラボディの背面側に配設してなる表示モニタと、
前記カメラボディの背面に設けられ、前記モニタ画面を覆う閉じ動作と前記モニタ画面上から退避する開動作とが可能な扉部材と、所定方向に沿ってスライド可能に設けられそのスライド位置に応じてオン／オフするメイン電源スイッチと、基端部が前記カメラボディの背面に回動可能に軸支され先端部が前記扉部材に回動可能に係合され中間部が前記メイン電源スイッチに回動可能に係合される回転レバーとを含んでなる扉機構とからなり、
前記メイン電源スイッチは、前記扉部材の開閉動作に連動してスライドし、前記扉部材が閉じるとオフ動作し、且つ前記扉部材が開くとオン動作して、当該電子カメラの動作電源を制御するように構成したことを特徴とする。
【００１２】
また、請求項２に記載した発明に係る電子カメラは、
前記メイン電源スイッチが、所定方向のスライド動作により該メイン電源スイッチをオン／オフさせる電源操作部材を含み、且つ
前記扉機構が、前記扉部材および前記電源操作部材に係合して回動し、前記扉部材の移動方向と同方向に、該扉部材の移動量よりも少ない移動量で前記電源操作部材をスライド移動させる回転レバーを含む
ことを特徴としている。
【００１３】
請求項３に記載した発明に係る電子カメラは、
撮像光学系により結像される被写体光学像を電子的に画像記録媒体に記録する電子カメラにおいて、
撮影画像および記録画像の少なくとも一方を再生表示するモニタ画面をカメラボディの背面側に配設してなる表示モニタと、
所定方向に沿ってスライド可能に設けられオン／オフ操作されて当該電子カメラの動作電源を制御するメイン電源スイッチと、前記カメラボディの背面に所定方向に沿って開閉可能に設けられる扉部材と、基端部が前記カメラボディの背面側に回動可能に軸支され先端部が前記扉部材に回動可能に係合され、中間部が前記メイン電源スイッチに回動可能に係合される回転レバーを含んでなる扉機構とからなり、
前記扉機構は、前記メイン電源スイッチのオン／オフ動作に連動し、前記メイン電源スイッチのオフ動作に伴って、閉状態となり前記モニタ画面を前記扉部材により覆い、且つ前記メイン電源スイッチのオン動作に伴って、開状態となり前記モニタ画面上から前記扉部材を退避させて該モニタ画面を視認可能とするように構成したことを特徴としている。
【００１４】
請求項４に記載した発明に係る電子カメラは、
前記メイン電源スイッチが、所定方向のスライド動作により該メイン電源スイッチをオン／オフ操作する電源操作部材を含み、且つ
前記扉機構が、前記電源操作部材および前記扉部材に係合して回動し、前記電源操作部材の移動方向と同方向に、該電源操作部材の移動量よりも大きい移動量で前記扉部材をスライド移動させる回転レバーを含む
ことを特徴としている。
請求項５に記載した発明に係る電子カメラは、
前記扉機構の前記回転レバーに関し、軸支点から前記メイン電源スイッチとの係合点までの距離が、前記軸支点から前記扉部材との係合点までの距離よりも近くに設定されていることを特徴としている。
【００１５】
請求項６に記載した発明に係る電子カメラは、前記扉機構が、前記モニタ画面を視認可能とする開状態としたときは、前記液晶モニタ画面上から退避させた前記扉部材をカメラボディの内部に収納させる機構を含むことを特徴としている。
請求項７に記載した発明に係る電子カメラは、前記電源操作部材を前記カメラボディの背面略中央下部に配設していることを特徴としている。
請求項８に記載した発明に係る電子カメラは、前記扉部材が金属材料で構成されたことを特徴としている。
【００１６】
【作  用】
すなわち、請求項１の発明に係る電子カメラは、撮像光学系により結像される被写体光学像を電子的に画像記録媒体に記録する電子カメラにおいて、
撮影画像および記録画像の少なくとも一方を再生表示するモニタ画面をカメラボディの背面側に配設してなる表示モニタと、
前記カメラボディの背面に設けられ、前記モニタ画面を覆う閉じ動作と前記モニタ画面上から退避する開動作とが可能な扉部材と、所定方向に沿ってスライド可能に設けられそのスライド位置に応じてオン／オフするメイン電源スイッチと、基端部が前記カメラボディの背面に回動可能に軸支され先端部が前記扉部材に回動可能に係合され中間部が前記メイン電源スイッチに回動可能に係合される回転レバーとを含んでなる扉機構とからなり、
前記メイン電源スイッチは、前記扉部材の開閉動作に連動してスライドし、前記扉部材が閉じるとオフ動作し、且つ前記扉部材が開くとオン動作して、当該電子カメラの動作電源を制御するように構成してある。
【００１７】
このような構成により、モニタ画面を保護する扉機構の扉部材の小さい操作力の開閉動作に確実に連動してメイン電源スイッチがスライド作動するようにして、携帯／持ち歩き時における表示モニタのモニタ画面の汚れを確実に防止し、表示モニタを確実に保護することができ、しかも、撮影・再生時には表示モニタのモニタ画面が見易く且つ操作が簡単で、特に、モニタ画面の開閉操作のみで、確実に撮影・再生可能状態と撮影・再生不可状態とに設定することが可能となる。
また、請求項２の発明に係る電子カメラは、前記メイン電源スイッチが、所定方向のスライド動作により該メイン電源スイッチをオン／オフさせる電源操作部材を含み、且つ前記扉機構が、前記扉部材および前記電源操作部材に係合して回動し、前記扉部材の移動方向と同方向に、該扉部材の移動量よりも少ない移動量で前記電源操作部材をスライド移動させる回転レバーを含む。
このような構成により、特に、モニタ画面を保護する扉部材の小さな開閉操作力のみで、撮影・再生動作を確実にオン／オフすることを可能とし、容易に且つ確実に操作を行うことができる。
【００１８】
請求項３の発明に係る電子カメラは、撮像光学系により結像される被写体光学像を電子的に画像記録媒体に記録する電子カメラにおいて、撮影画像および記録画像の少なくとも一方を再生表示するモニタ画面をカメラボディの背面側に配設して表示モニタを設け、
所定の方向に沿ってスライド可能に設けられそのスライド位置に応じてオン／オフ操作されて当該電子カメラの動作電源を制御するメイン電源スイッチと、前記カメラボディの背面に開閉可能に設けられる扉部材と、基端部が前記背面に回動可能に軸支され先端部が前記扉部材に回動可能に係合され中間部が前記メイン電源スイッチに回動可能に係合される回転レバーとを含んでなる扉機構により、前記メイン電源スイッチのオン／オフ動作に連動し、前記メイン電源スイッチをオフとすると、前記扉部材を閉状態として前記モニタ画面を前記扉部材により覆い、且つ前記メイン電源スイッチをオンとすると、前記扉部材を開状態として前記モニタ画面上から前記扉部材を退避させて該モニタ画面を視認可能とする。
このような構成により、特に、撮影・再生動作をオン／オフするメイン電源スイッチの操作のみで、モニタ画面を保護する扉部材を確実に開閉させることができる。
【００１９】
請求項４の発明に係る電子カメラは、前記メイン電源スイッチが、所定方向のスライド動作により該メイン電源スイッチをオン／オフ操作する電源操作部材を含み、且つ前記扉機構が、前記電源操作部材および前記扉部材に係合して回動し、前記電源操作部材の移動方向と同方向に、該電源操作部材の移動量よりも大きい移動量で前記扉部材をスライド移動させる回転レバーを含む。
このような構成により、特に、メイン電源スイッチを扉部材の作動方向と同方向への小さな操作量で、モニタ画面を保護する扉部材を正しく開閉操作することを可能とし、操作が明快で容易になる。
請求項５の発明に係る電子カメラは、前記扉機構の前記回転レバーに関し、軸支点から前記メイン電源スイッチとの係合点までの距離が、前記軸支点から前記扉部材との係合点までの距離よりも近くに設定されている。
このような構成により、特に、メイン電源スイッチを扉部材の作動方向と同方向への小さな操作量で、モニタ画面を保護する扉部材を正しく開閉操作することを可能とし、操作が明決で容易になる。
【００２０】
請求項６の発明に係る電子カメラは、前記扉機構が、前記モニタ画面を視認可能とする開状態としたときは、前記液晶モニタ画面上から退避させた前記扉部材をカメラボディの内部に収納させる機構を含む。
このような構成により、特に、不用意に扉部材に触れるなどして扉部材を誤作動させてしまうおそれがなく、カメラボディのデザインの自由度も高くなる。
請求項７の発明に係る電子カメラは、前記電源操作部材を前記カメラボディの背面略中央下部に配設している。
このような構成により、特に、メイン電源スイッチの操作性が良好で、誤操作するおそれがなく、操作状態の確認も容易となる。
請求項８の発明に係る電子カメラは、前記扉部材が、金属材料で構成される。
このような構成により、特に、扉部材によるモニタ画面の保護が確実で、しかも薄型化も容易になる。
【００２１】
【発明の実施の形態】
以下、実施の形態に基づき、図面を参照して本発明に係る電子カメラを詳細に説明する。
図１〜図４は、本発明の電子カメラ一つの実施の形態に係るディジタルスティルカメラの機械的な構成を示している。
図１は、ディジタルスティルカメラの背面の外観構成を示す図である。図２〜図４は、図１のディジタルスティルカメラにおける扉機構を詳細に説明するための図であり、図２および図３は、該扉機構に係る部分を透視して示す図であり、図４は、扉機構の扉部材部分の縦断面図である。図１、図２および図４は扉機構の扉部材が閉じた状態を示し、図３は扉部材が開いた状態を示している。
【００２２】
図１は、ディジタルスティルカメラ１００のカメラボディ１００ａの背面を示しており、該図１には、メモリカード扉１、レリーズボタン２、回転モードダイヤル３、モードボタン４、ファインダ接眼窓５、電池室蓋６、扉部材７、メイン電源ボタン８およびモニタ表示ボタン９が示されている。図２〜図４においては、さらに扉機構に関連する部分が詳細に示されており、スイッチ作動部１１、軸１２、軸１３、回転レバー１４、軸１５、クリック板バネ１６、下側レール部２１、上側レール部２２、液晶モニタ１２２、およびメイン電源スイッチ１２９が示されている。これらスイッチ作動部１１、軸１２、軸１３、回転レバー１４、軸１５、クリック板バネ１６、下側レール部２１、上側レール部２２および扉部材７により扉機構が構成される。
【００２３】
メモリカード扉１は、メモリカード１１０（図５に関連して後述する）の収納部を覆う扉である。レリーズボタン２、回転モードダイヤル３、モードボタン４およびモニタ表示ボタン９は、操作部１２３（図５に関連して後述する）に含まれる。レリーズボタン２は、撮影に際してのレリーズ操作を行うための操作部である。回転モードダイヤル３は、撮影および記録等の各種動作モードを切換え選択するための操作部である。モードボタン４は、回転モードダイヤル３の選択ポジションと関連して操作することにより、液晶モニタ１２２のモニタ画面１２２ａに各種モード状態、撮影画像および再生画像を表示させて、動作モードの変更および選択を行ったり、表示画像を選択したりするための操作部である。
【００２４】
ファインダ接眼窓５は、撮像視野を光学像として観察するための光学ファインダの接眼部である。電池室蓋６は、電池１２７を収容する電池室の蓋であり、この電池室蓋６は電池１２７の交換の際に開閉操作される。
扉部材７は、後述する扉機構を構成し、該扉機構により開閉操作され、図１、図２および図４のような閉状態において液晶モニタ１２２のモニタ画面１２２ａを覆い、図３のような開状態においてモニタ画面１２２ａを観察可能とする。
メイン電源ボタン８は、メイン電源スイッチ１２９をオン／オフ操作するための操作部材であり、スライド操作可能とするためカメラボディ１００ａの背面から若干突出している。
【００２５】
図１、図２および図４は、扉機構が閉状態、すなわち液晶モニタ１２２のモニタ画面１２２ａが扉部材７に被われた状態を示している。このとき、図２に示すメイン電源スイッチ１２９は、電源操作部材としてのメイン電源ボタン８と一体に動作するスイッチ作動部１１により押圧されていないためオフ状態である。当該ディジタルスティルカメラ１００は、この状態でユーザにより携帯され、所望に応じて持ち歩かれる。
ユーザが、当該ディジタルスティルカメラ１００により、撮影または再生するときには、メイン電源ボタン８を、図１における右方向にスライドさせ、「ＯＮ」と表示されたオン位置まで移動させる。
メイン電源ボタン８は、回転レバー１４に突設された軸１２に係合している。回転レバー１４は、一端において軸１３に回動可能に軸支されており、該回転レバー１４の他端、すなわち回動端、は、扉部材７に突設された軸１５に係合している。このため、メイン電源ボタン８のスライド操作により、回転レバー１４は矢印Ｄ１方向に回動し、扉部材７が矢印Ｄ２方向に移動して、図３に示すような状態となる。
【００２６】
図３の状態では、メイン電源スイッチ１２９は、メイン電源ボタン８に一体に設けられたスイッチ作動部１１により押圧されてオン状態となる。また、扉部材７は、液晶モニタ１２２のモニタ画面１２２ａ上から退避して開状態となり、モニタ画面１２２ａは、扉部材７に被われていない。
撮影時には、この状態で回転モードダイヤル３を操作して撮影ポジションとし、ファインダ接眼窓５より、光学ファインダを観察して構図を決め、レリーズボタン２を押して、撮影を行う。このとき、モニタ表示ボタン１８を押せば、液晶モニタ１２２のモニタ画面１２２ａに撮影中の影像が表示される。このモニタ画面１２２ａを、電子ファインダとして用い、該モニタ画面１２２ａを観察して構図を決めて撮影を行うこともできる。
【００２７】
また、再生時には、回転モードダイヤル３を操作して再生ポジションとすることにより、液晶モニタ１２２のモニタ画面１２２ａに再生画像を表示させる。このとき、モードボタン４を操作することにより表示画像を選択することができる。  カメラボディ１００ａの内部において、メイン電源ボタン８に一体的に固定されたクリック板バネ１６は、カメラボディ１００ａの内面に設けられた凹凸（図示せず）に係合して、メイン電源ボタン８をオン位置（ＯＮ）および「ＯＦＦ」と表示されたオフ位置に係止させるクリック力を発生させる。
扉部材７は、カメラボディ１００ａの内側においてスライド移動可能にガイドされており、図３の状態ではカメラボディ１００ａの内部に収納される。
【００２８】
図示のように、メイン電源ボタン８は、カメラボディ１００ａの背面の略中央下部に配置されており、扉機構の回転レバー１４を用いたリンク機構により、扉部材７を作動させるため、該メイン電源ボタン８は、扉部材７の移動量に比べて少ない移動量で済む。因に、図１〜図３の場合は、メイン電源ボタン８のスライド移動量と扉部材７のスライド移動量とは約１：４の比率になっている。
【００２９】
図４に示す断面図に示すように、カメラボディ１００ａの内部には、液晶モニタ１２２が、モニタ画面１２２ａを外側に向けて配設されており、モニタ画面１２２ａの外側に、それを覆うための扉部材７が配置されている。扉部材７は、カメラボディ１００ａに設けられた下側レール部２１および上側レール部２２により、上下縁部をガイドされて移動する。この場合、扉部材７の材質は金属とする。扉部材７を金属製とすると、プラスチック製の場合よりも薄く形成することができ、且つ高い強度を得ることができる。そのため、液晶モニタ１２２の後面から、カメラボディ１００ａの後面までの寸法Ｔを約３mmと薄く形成することができる。
【００３０】
図５は、上述したディジタルスティルカメラの電子的な機能構成を模式的に示すブロック図である。
ディジタルスティルカメラ１００は、図５に示すように、撮像レンズ系１０１、シャッタ機構１０２、ＣＣＤ固体撮像素子１０３、ＣＤＳ（相関二重サンプリング）回路１０４、第１のＡ／Ｄ（アナログ−ディジタル）変換器１０５、ディジタル信号処理部１０６、画像圧縮／伸長部１０７、ＦＩＦＯ（first in-first out）１０８、カードインタフェース（Ｉ／Ｆ）１０９、メモリカード１１０、マイクロフォン１１１、フィルタアンプ（フィルタ増幅器）１１２、第２のＡ／Ｄ（アナログ−ディジタル）変換器１１３、音声圧縮／伸長部１１４、ＣＰＵ１２１、液晶モニタ１２２、操作部１２３、レンズドライバ１２５、制御信号生成部（ＳＧ）１２６、電池１２７、ＤＣ−ＤＣコンバータ１２８およびメイン電源スイッチ１２９、を具備している。
【００３１】
撮像レンズ系１０１およびシャッタ機構１０２は、通常撮影およびパノラマ撮影等において被写体像を結像するための撮像光学系を構成する。シャッタ機構１０２は、オートフォーカス（ＡＦ）機構、絞り機構およびフィルタ機構等を含み、レリーズ時の露光を制御する。撮像素子としては、この実施の形態では、ＣＣＤ固体撮像素子１０３が用いられている。ＣＣＤ固体撮像素子１０３は、撮像光学系により結像された光学像を電気信号に変換する。
ＣＤＳ回路１０４は、相関二重サンプリングによりＣＣＤ固体撮像素子１０３における雑音成分を抑圧する。Ａ／Ｄ変換器１０５は、ＣＤＳ回路１０４を介して入力されるＣＣＤ固体撮像素子１０３からのアナログ画像信号をディジタル画像データに変換する。すなわち、ＣＣＤ固体撮像素子１０３の出力信号は、ＣＤＳ回路１０４を経てＡ／Ｄ変換器１０５において最適なサンプリング周波数でサンプリングされてディジタル値に変換される。
【００３２】
ディジタル信号処理部１０６は、Ａ／Ｄ変換器１０５から入力したディジタル画像データを色差成分と輝度成分に分けて、所要の各種処理、補正処理および画像圧縮／伸長のための前処理を施す。画像圧縮／伸長部１０７は、例えばＪＰＥＧ（Joint Photographic Experts Group）準拠の画像圧縮／伸長のための直交変換およびハフマン符号化／復号化等の処理を行う。
一方、音声は、マイクロフォン１１１により電気信号に変換され、フィルタアンプ１１２により所要の周波数帯域のみが選択的に増幅され、Ａ／Ｄ変換器１１３により所要の周波数帯域の２倍以上の周波数でサンプリングされてディジタル値に変換される。さらに、このディジタル値は、音声圧縮／伸長部１１４により圧縮され、符号化処理される。
【００３３】
ＦＩＦＯ１０８は、例えばＤＲＡＭ（Dynamic Random Access Memory）、フラッシュメモリ等で実現される一時記憶手段であり、圧縮処理された画像データと音声データを一旦蓄える。ＦＩＦＯ１０８に保持された圧縮画像データおよび圧縮音声データは、カードインタフェース１０９に読み出され、該カードインタフェース１０９に結合される記録媒体であるメモリカード１１０に書き込まれる。ＣＰＵ１２１は、上述したレリーズボタン２、回転モードダイヤル３、モードボタン４およびモニタ表示ボタン９等により構成される操作部１２３からの指示に従い、上記各部の動作を制御する。液晶モニタ１２２は、操作部１２３のモニタ表示ボタン９の操作に応動して、当該ディジタルスティルカメラ１００の動作状態等のモード表示を行う。
【００３４】
また、液晶モニタ１２２は、撮像前および撮像中のディジタル画像データをリアルタイムで表示して電子ファインダとして用いたり、撮像後のディジタル画像データおよび伸長されて復元された記録画像データを再生表示するために用いたりする。
レンズドライバ１２５は、撮像レンズ系１０１およびシャッタ機構１０２を、ＣＰＵ１２１の制御に従って駆動する。制御信号生成部１２６は、クロック信号等の駆動制御信号を生成して、ＣＣＤ固体撮像素子１０３、ＣＤＳ回路１０４およびＡ／Ｄ変換器１０５に供給し、これら各部を作動させる。
【００３５】
当該ディジタルスティルカメラ１００の電源部は、電池１２７、ＤＣ−ＤＣ（直流−直流）コンバータ１２８およびメイン電源スイッチ１２９で構成される。電池１２７には、Ｎｉ−Ｃｄ（ニッケルカドミウム）電池、ニッケル水素電池およびリチウム電池等が用いられ、該バッテリ１２７の出力がＤＣ−ＤＣコンバータ１２８で所要の電圧に変換されて、各部に供給される。メイン電源スイッチ１２９は、ＤＣ−ＤＣコンバータ１２８による各部への電源供給を制御して当該ディジタルスティルカメラ１００の動作をオン／オフさせる。
【００３６】
このディジタルスティルカメラ１００は、操作部１２３のレリーズボタン２を押下する以前からＣＣＤ固体撮像素子１０３によりとらえられている画像を液晶モニタ１２２にリアルタイムで表示させて、電子的に撮像視野を確認するための電子ファインダ機能を備えており、該電子ファインダを観察しながらレリーズボタン２等を操作して撮像を行う。レリーズボタン２のレリーズ操作により、シャッタ機構１０２を開いて、被写体像をＣＣＤ固体撮像素子１０３で撮像し、ディジタル信号処理部１０６等を介してメモリカード１１０に画像データを書き込む。
【００３７】
上述したディジタルスティルカメラ１００の各機能構成およびその作用を整理して説明する。
ディジタルスティルカメラ１００においては、液晶モニタ１２２のモニタ画面１２２ａを覆う扉部材７の開閉とメイン電源ボタン８の操作が連動して行われるため、液晶モニタのモニタ画面１２２ａが扉部材７に覆われた状態では、メイン電源ボタン８がオフ位置（従って、電源スイッチ１２９は、オフ状態）にあり、携帯時の液晶モニタ１２２のモニタ画面１２２ａの保護と電源の節約が簡単な操作で確実に行われる。また、扉部材７を開けてモニタ画面１２２ａを覆わない状態にすれば、メイン電源ボタン８がオン位置（従って、電源スイッチ１２９は、オン状態）になるため、その状態で撮影から再生に回転モードダイヤル３のポジションを切り換えた場合にも、メイン電源スイッチ８を再度オンとするという余計な操作なしに、再生モードに移行することができる。
【００３８】
また、撮影状態においても、光学ファインダの接眼窓５を覗いて構図を決める状態から、液晶モニタ１２２のモニタ画面１２２ａの影像を見て電子ファインダにより構図を決める状態への移行を、モニタ表示ボタン９を押すという操作だけで行うことができる。
また、ディジタルスティルカメラ１００において、液晶モニタ１２２のモニタ画面１２２ａを覆う扉部材７を直接手で動かして開閉操作するようにすることもでき、その場合にも、回転レバー１４に係合するメイン電源ボタン８が動作して、メイン電源スイッチ１２９がオン／オフ動作する。この場合、扉部材７の操作力は小さくて済み、操作がわかりやすい。
【００３９】
ディジタルスティルカメラ１００においては、液晶モニタ１２２のモニタ画面１２２ａを覆う扉部材７の開閉をメイン電源ボタン８の操作に連動して行わせるため、メイン電源ボタン８をオフ位置にすれば、液晶モニタのモニタ画面１２２ａが扉部材７に覆われ、携帯時の液晶モニタ１２２のモニタ画面１２２ａの保護が簡単な操作で確実に行われる。また、メイン電源ボタン８をオン位置にすれば、扉部材７がモニタ画面１２２ａを覆わない状態になるため、その状態で撮影から再生に回転モードダイヤル３のポジションを切り換えた場合にも、扉部材７を開けるという余計な操作なしに、再生モードに移行することができる。また、撮影状態においても、光学ファインダの接眼窓５を覗いて構図を決める状態から、液晶モニタ１２２のモニタ画面１２２ａの影像を見て電子ファインダにより構図を決める状態への移行を、モニタ表示ボタン９を押すという操作だけで行うことができる。
【００４０】
ディジタルスティルカメラ１００においては、モニタ画面１２２ａを覆う扉部材７の移動量が比較的大きく、直接手で動かそうとすると、操作性が悪くなる場合があるが、回転レバー１４により係合されたメイン電源ボタン８は、図２および図３の場合約１／４の移動量でよく、操作性がよくなる。また、扉部材７とメイン電源ボタン８の移動方向が同方向であり、操作がわかりやすい。
ディジタルスティルカメラ１００においては、モニタ画面１２２ａを覆う扉部材７が、開状態においては、カメラボディ１００ａの内側に収納され、扉部材７に誤って触れて動かしてしまうことにより、電源がオフとなってしまうようなことがない。また、カメラボディ１００ａの背面側におけるデザインの自由度が増す。
【００４１】
ディジタルスティルカメラ１００においては、モニタ画面１２２ａを覆う扉部材７の開閉を行うメイン電源ボタン８がカメラボディ１００ａの背面略中央下部に配置されているため、撮影時に誤って手を触れて動かしてしまうおそれがなく、逆に、操作したいときには、右手および左手のどちらでも容易に操作することができ、操作性がよい。また、非常に視認性のよい位置であるため、電源のオン／オフの状態を容易に確認することができる。
ディジタルスティルカメラ１００においては、モニタ画面１２２ａを覆う扉部材７を強度の高い金属製にしているため、衝撃に対して強く、液晶モニタ１２２の保護が確実となり、また、プラスティック製等と比較して厚みを薄くすることができ、カメラボディ１００ａの厚みを薄くすることができる。
なお、本発明は上述し且つ図面に示す実施の形態にのみ限定されることなく、その要旨を変更しない範囲内で種々変形実施することが可能である。
【００４２】
【発明の効果】
以上述べたように、本発明によれば、撮像光学系により結像される被写体光学像を電子的に画像記録媒体に記録する電子カメラにおいて、
撮影画像および記録画像の少なくとも一方を再生表示するモニタ画面をカメラボディの背面側に配設してなる表示モニタと、
前記カメラボディの背面に設けられ、前記モニタ画面を覆う閉じ動作と前記モニタ画面上から退避する開動作とが可能な扉部材と、所定方向に沿ってスライド可能に設けられそのスライド位置に応じてオン／オフするメイン電源スイッチと、基端部が前記カメラボディの背面に回動可能に軸支され先端部が前記扉部材に回動可能に係合され中間部が前記メイン電源スイッチに回動可能に係合される回転レバーとを含んでなる扉機構とからなり、
前記メイン電源スイッチは、前記扉部材の開閉動作に連動してスライドし、前記扉部材が閉じるとオフ動作し、且つ前記扉部材が開くとオン動作して、当該電子カメラの動作電源を制御するように構成したので、モニタ画面を保護する扉機構の扉部材の開閉動作に確実に連動して小さな操作力でメイン電源スイッチが作動するようにして、携帯／持ち歩き時における表示モニタのモニタ画面の汚れを確実に防止し、表示モニタを確実に保護することができ、しかも、撮影・再生時には表示モニタのモニタ画面が見易く且つ操作が簡単で、特に、モニタ画面の開閉操作のみで、メイン電源スイッチのオン／オフが制御され、確実に撮影・再生可能状態と撮影・再生不可状態とに設定することが可能な電子カメラを提供することができる。
【００４３】
また、請求項２の発明に係る電子カメラによれば、前記メイン電源スイッチが、所定方向のスライド動作により該メイン電源スイッチをオン／オフさせる電源操作部材を含み、且つ前記扉機構が、前記扉部材および前記電源操作部材に係合して回動し、前記扉部材の移動方向と同方向に、該扉部材の移動量よりも少ない移動量で前記電源操作部材をスライド移動させる回転レバーを含む構成により、特に、モニタ画面を保護する扉部材の小さな開閉操作力のみで、撮影・再生動作を確実にオン／オフすることを可能とし、容易に且つ確実に操作を行うことができる。
【００４４】
請求項３の発明に係る電子カメラによれば、撮像光学系により結像される被写体光学像を電子的に画像記録媒体に記録する電子カメラにおいて、
撮影画像および記録画像の少なくとも一方を再生表示するモニタ画面をカメラボディの背面側に配設してなる表示モニタと、
所定方向に沿ってスライド可能に設けられオン／オフ操作されて当該電子カメラの動作電源を制御するメイン電源スイッチと、前記カメラボディの背面に所定方向に沿って開閉可能に設けられる扉部材と、基端部が前記カメラボディの背面側に回動可能に軸支され先端部が前記扉部材に回動可能に係合され、中間部が前記メイン電源スイッチに回動可能に係合される回転レバーを含んでなる扉機構とからなり、
前記扉機構は、前記メイン電源スイッチのオン／オフ動作に連動し、前記メイン電源スイッチのオフ動作に伴って、閉状態となり前記モニタ画面を前記扉部材により覆い、且つ前記メイン電源スイッチのオン動作に伴って、開状態となり前記モニタ画面上から前記扉部材を退避させて該モニタ画面を視認可能とするように構成したので、メイン電源スイッチをオン／オフするメイン電源スイッチの少ない移動量の操作のみで、モニタ画面を保護する扉部材を確実に開閉させることができ、携帯／持ち歩き時における表示モニタ画面の汚れを確実に防止し、表示モニタを確実に保護することができる。
【００４５】
請求項４の発明に係る電子カメラによれば、前記メイン電源スイッチは、所定方向のスライド動作により該メイン電源スイッチをオン／オフ操作する電源操作部材を含み、且つ前記扉機構は、前記電源操作部材および前記扉部材に係合して回動し、前記電源操作部材の移動方向と同方向に、該電源操作部材の移動量よりも大きい移動量で前記扉部材をスライド移動させる前記回転レバーを含む構成により、特に、メイン電源スイッチを扉部材の作動方向と同方向への小さな操作量で、モニタ画面を保護する扉部材を正しく開閉操作することを可能とし、操作が明快で容易になる。
請求項５の発明に係る電子カメラによれば、前記扉機構の前記回転レバーに関し、軸支点から前記メイン電源スイッチとの係合点までの距離が、前記軸支点から前記扉部材との係合点までの距離よりも近くに設定されているので、扉部材の開閉動作をするときは、小さな開閉操作力のみでメイン電源スイッチのオン／オフ動作を行うことができ、また、メイン電源スイッチのオン／オフ動作をするときは、メイン電源スイッチの小さな移動量の操作のみで扉部材の開閉動作を素早く行うことができる。
【００４６】
本発明の請求項６の電子カメラによれば、前記扉機構が、前記モニタ画面を視認可能とする開状態としたときは、前記液晶モニタ画面上から退避させた前記扉部材をカメラボディの内部に収納させる機構を含む構成により、特に、不用意に扉部材に触れるなどして扉部材を誤作動させてしまうおそれがなくなり、カメラボディのデザインの自由度も高くなる。
【００４７】
請求項７の発明に係る電子カメラによれば、前記電源操作部材を前記カメラボディの背面略中央下部に配設している。
このような構成により、特に、メイン電源スイッチの操作性が良好で、誤操作するおそれがなくなり、操作状態の確認も容易となる。
請求項８の発明に係る電子カメラによれば、前記扉部材は、金属材料で構成される構成により、特に、扉部材によるモニタ画面の保護が確実で、しかも薄型化も容易になる。
【図面の簡単な説明】
【図１】本発明の電子カメラ一つの実施の形態に係るディジタルスティルカメラの背面から見た外観構成を模式的に示す図である。
【図２】図１のディジタルスティルカメラの扉機構の閉状態における詳細を透視して示す模式図である。
【図３】図１のディジタルスティルカメラの扉機構の開状態における詳細を透視して示す模式図である。
【図４】図１のディジタルスティルカメラの扉機構の閉状態における一部を詳細に示す断面図である。
【図５】図１のディジタルスティルカメラの機能構成を模式的に示すブロック図である。
【符号の説明】
１  メモリカード扉
２  レリーズボタン
３  回転モードダイヤル
４  モードボタン
５  ファインダ接眼窓
６  電池室蓋
７  扉部材
８  メイン電源ボタン
９  モニタ表示ボタン９
１１  スイッチ作動部
１２，１３，１５  軸
１４  回転レバー
１６  クリック板バネ
２１  下側レール部
２２  上側レール部
１００  電子カメラ
１００ａ  カメラボディ
１０１  撮像レンズ系
１０２  シャッタ機構
１０３    ＣＣＤ（電荷結合素子）固体撮像素子
１０４    ＣＤＳ（相関二重サンプリング）回路
１０５，１１３    Ａ／Ｄ（アナログ−ディジタル）変換器
１０６  ディジタル信号処理部
１０７  画像圧縮／伸長部
１０８    ＦＩＦＯ（first in-first out）
１０９  カードインタフェース（Ｉ／Ｆ）
１１０  メモリカード
１１１  マイクロフォン
１１２  フィルタアンプ
１１４  音声圧縮／伸長部
１２１    ＣＰＵ（中央処理部）
１２２  液晶モニタ
１２２ａ  モニタ画面
１２３  操作部
１２５  レンズドライバ
１２６  制御信号生成部（ＳＧ）
１２７  電池
１２８  ＤＣ−ＤＣコンバータ
１２９  メイン電源スイッチ
【図１】
0004094145.tif 000002
【図２】
0004094145.tif 000003
【図３】
0004094145.tif 000004
【図４】
0004094145.tif 000005
【図５】
0004094145.tif 000006